(57)【要約】  ディジタルブロードキャスティングシステムにおけるブロードキャストサービスを受信する方法を提供する。上記方法は、ネットワークを通してブロードキャストサービスの受信に関連したシグナリング情報を提供するサービスガイドデリバリーディスクリプタ（ＳＧＤＤ）を受信するステップと、受信されたＳＧＤＤからシグナリング情報を抽出し、抽出されたシグナリング情報を解析するステップと、解析されたシグナリング情報に基づいてブロードキャストサービスの受信のためのサービスガイドを受信するステップと、受信されたサービスガイドに基づいてブロードキャストサービスを受信するステップとを含む。
2014519732.tif 000002
【特許請求の範囲】
【請求項１】
ディジタルブロードキャスティングシステムにおけるブロードキャストサービスを受信する方法であって、
ネットワークを通して前記ブロードキャストサービスの受信に関連したシグナリング情報を提供するサービスガイドデリバリーディスクリプタ（ＳＧＤＤ）を受信するステップと、
前記受信されたＳＧＤＤから前記シグナリング情報を抽出し、前記抽出されたシグナリング情報を解析するステップと、
前記解析されたシグナリング情報に基づいて前記ブロードキャストサービスの受信のためのサービスガイドを受信するステップと、
前記受信されたサービスガイドに基づいて前記ブロードキャストサービスを受信するステップと
を有することを特徴とするブロードキャストサービスを受信する方法。
【請求項２】
ディジタルブロードキャスティングシステムにおけるブロードキャストサービスを受信する装置であって、
ネットワークを通して前記ブロードキャストサービスの受信に関連したシグナリング情報及び前記ブロードキャストサービスを受信する受信器と、
前記シグナリング情報を提供するサービスガイドデリバリーディスクリプタ（ＳＧＤＤ）を受信し、前記受信されたＳＧＤＤから前記シグナリング情報を抽出し、前記抽出されたシグナリング情報を解析し、前記解析されたシグナリング情報に基づいて前記ブロードキャストサービスの受信のためのサービスガイドを受信し、前記受信されたサービスガイドに基づいて前記ブロードキャストサービスを受信する動作を制御する制御器と
を有することを特徴とするブロードキャストサービスを受信する装置。
【請求項３】
前記シグナリング情報は、前記ＳＧＤＤの特定のフィールドから抽出されることを特徴とする請求項１に記載の方法又は請求項２に記載の装置。
【請求項４】
前記シグナリング情報は、前記ＳＧＤＤの特定のフィールドから抽出され、
前記ＳＧＤＤの特定のフィールドは、前記ＳＧＤＤのエレメントのうちで、前記ディジタルブロードキャスティングシステムの特性と関連した前記サービスガイドの受信のためのＢＤＳ特定進入点情報（ＢＤＳＳｐｅｃｉｆｉｃＥｎｔｒｙｐｏｉｎｔＩｎｆｏ）フィールド及びサービスプロバイダーと関連した付加のデータを提供するための私設拡張（ＰｒｉｖａｔｅＥｘｔ）フィールドのうちの少なくとも１つであることを特徴とする請求項１に記載の方法又は請求項２に記載の装置。
【請求項５】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含むことを特徴とする請求項１に記載の方法又は請求項２に記載の装置。
【請求項６】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含み、
前記ＵＬＩは、圧縮関連ロバストヘッダーコンプレッション（ＲＯＨＣ）情報、前記ＬＬＰの識別情報、及び前記ＰＬＰの識別情報のうちの少なくとも１つを含むことを特徴とする請求項１に記載の方法又は請求項２に記載の装置。
【請求項７】
前記シグナリング情報は、インターネットプロトコル（ＩＰ）階層の上位階層にあり、前記ＩＰ階層の下位階層情報を受信するために使用されることを特徴とする請求項１に記載の方法又は請求項２に記載の装置。
【請求項８】
ディジタルブロードキャスティングシステムにおけるブロードキャストサービスを提供する方法であって、
ネットワークを通して前記ブロードキャストサービスに関連したシグナリング情報を含むサービスガイドデリバリーディスクリプタ（ＳＧＤＤ）を送信するステップと、
端末機が前記シグナリング情報に基づいて受信することができる前記ブロードキャストサービスの受信のためのサービスガイドを送信するステップと、
前記サービスガイドに関連した前記ブロードキャストサービスを送信するステップと
を有することを特徴とするブロードキャストサービスを提供する方法。
【請求項９】
ディジタルブロードキャスティングシステムにおけるブロードキャストサービスを提供するシステムであって、
ネットワークを通して前記ブロードキャストサービスに関連したシグナリング情報を含むサービスガイドデリバリーディスクリプタ（ＳＧＤＤ）を提供する手段と、
端末機が前記シグナリング情報に基づいて受信することができる前記ブロードキャストサービスの受信のためのサービスガイドを提供する手段と、
前記サービスガイドに関連した前記ブロードキャストサービスを提供する手段と
を有することを特徴とするブロードキャストサービスを提供するシステム。
【請求項１０】
前記シグナリング情報は、前記ＳＧＤＤの特定のフィールドで提供されることを特徴とする請求項８に記載の方法又は請求項９に記載のシステム。
【請求項１１】
前記シグナリング情報は、前記ＳＧＤＤの特定のフィールドで提供され、
前記ＳＧＤＤの特定のフィールドは、前記ＳＧＤＤのエレメントのうちで、前記ディジタルブロードキャスティングシステムの特性と関連した前記サービスガイドの受信のためのＢＤＳ特定進入点情報（ＢＤＳＳｐｅｃｉｆｉｃＥｎｔｒｙｐｏｉｎｔＩｎｆｏ）フィールド及びサービスプロバイダーと関連した付加のデータを提供するための私設拡張（ＰｒｉｖａｔｅＥｘｔ）フィールドのうちの少なくとも１つであることを特徴とする請求項８に記載の方法又は請求項９に記載のシステム。
【請求項１２】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含むことを特徴とする請求項８に記載の方法又は請求項９に記載のシステム。
【請求項１３】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含み、
前記ＵＬＩは、圧縮関連ロバストヘッダーコンプレッション（ＲＯＨＣ）情報、前記ＬＬＰの識別情報、及び前記ＰＬＰの識別情報のうちの少なくとも１つを含むことを特徴とする請求項８に記載の方法又は請求項９に記載のシステム。
【請求項１４】
前記シグナリング情報は、インターネットプロトコル（ＩＰ）階層の上位階層にあり、前記ＩＰ階層の下位階層情報を前記端末機に提供するために使用される情報を含むことを特徴とする請求項８に記載の方法又は請求項９に記載のシステム。
【発明の詳細な説明】
【技術分野】
【０００１】
本発明は、ディジタルブロードキャスティングシステムにおけるブロードキャストサービスを受信するための方法及び装置に関し、特に、ディジタルブロードキャスティングシステムにおけるブロードキャストサービスの受信のためのシグナリング情報に基づいてブロードキャストサービスを送受信する方法及び装置に関する。
【背景技術】
【０００２】
通信及びブロードキャスティング技術の発達により、従来のブロードキャスティングシステム及び／又は移動通信システムにおける携帯端末機にブロードキャストサービスを提供するモバイルブロードキャストサービスは、２０００年代中盤頃から本格的な標準化及び商業化サービスにより進化してきた。その結果、ヨーロッパディジタルブロードキャスト標準団体であるディジタルビデオブロードキャスティング（Ｄｉｇｉｔａｌ  Ｖｉｄｅｏ  Ｂｒｏａｄｃａｓｔｉｎｇ：ＤＶＢ）により確立された次世代ハンドヘルド（Ｎｅｘｔ  Ｇｅｎｅｒａｔｉｏｎ  Ｈａｎｄｈｅｌｄ：ＮＧＨ）のような第２世代モバイルブロードキャスト標準が作られている。ＮＧＨは、地上波ブロードキャスティングネットワークを最大に活用するためのＭＰＥＧ２（Ｍｏｖｉｎｇ  Ｐｉｃｔｕｒｅ  Ｅｘｐｅｒｔｓ  Ｇｒｏｕｐ  ２）転送ストリーム（Ｔｒａｎｓｐｏｒｔ  Ｓｔｒｅａｍ：ＴＳ）プロフィール及びインターネットプロトコル（ＩＰ）と連動するためのＩＰプロフィールを含む。
【０００３】
ＭＰＥＧ２  ＴＳプロフィールは、ＴＳにより提供されたプログラム特定情報／サービス情報（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ：ＰＳＩ／ＳＩ）に基づいてサービス情報及びこのサービスが転送されるネットワークに関する情報を提供する。しかしながら、このために、ＩＰプロフィールは、ＭＰＥＧ２  ＴＳを使用しないために別途の方法を使用する。このように、ＤＶＢ−ＮＧＨ  ＩＰプロフィールのシグナリング情報を効率的に提供することができる方案が要求される。
【発明の概要】
【発明が解決しようとする課題】
【０００４】
本発明の目的は、少なくとも上述した問題点及び／又は不都合に取り組み、少なくとも以下の便宜を提供することにある。すなわち、本発明の目的は、ディジタルブロードキャスティングシステムにおけるシグナリング情報に基づいてブロードキャストサービスを効率的に送受信する方法及び装置並びにそのシステムを提供することにある。
【０００５】
本発明の他の目的は、ディジタルブロードキャスティングシステムにおけるブロードキャストサービスの受信のためのシグナリング情報を送受信する方法及び装置を提供することにある。
【０００６】
本発明のまた他の目的は、ディジタルブロードキャスティングシステムにおけるサービスガイドデリバリーディスクリプタ（Ｓｅｒｖｉｃｅ  Ｇｕｉｄｅ  Ｄｅｌｉｖｅｒｙ  Ｄｅｓｃｒｉｐｔｏｒ：ＳＧＤＤ）を用いてブロードキャストサービスの受信のためのシグナリング情報を送受信する方法及び装置を提供することにある。
【０００７】
本発明のさらなる他の目的は、ＤＶＢ−ＮＧＨ  ＩＰプロフィールでＩＰ階層の下位階層に存在する情報を受信するためのシグナリング情報を効率的に送受信する方法及び装置を提供することにある。
【課題を解決するための手段】
【０００８】
上記のような目的を達成するために、本発明の一態様によれば、ディジタルブロードキャスティングシステムにおけるブロードキャストサービスを受信する方法が提供される。上記方法は、ネットワークを通して上記ブロードキャストサービスの受信に関連したシグナリング情報を提供するサービスガイドデリバリーディスクリプタ（ＳＧＤＤ）を受信するステップと、上記受信されたＳＧＤＤから上記シグナリング情報を抽出し、上記抽出されたシグナリング情報を解析するステップと、上記解析されたシグナリング情報に基づいて上記ブロードキャストサービスの受信のためのサービスガイドを受信するステップと、上記受信されたサービスガイドに基づいて上記ブロードキャストサービスを受信するステップとを有することを特徴とする。
【０００９】
本発明の他の態様によれば、ディジタルブロードキャスティングシステムにおけるブロードキャストサービスを受信する装置が提供される。上記装置は、ネットワークを通して上記ブロードキャストサービスの受信に関連したシグナリング情報及び上記ブロードキャストサービスを受信する受信器と、上記シグナリング情報を提供するサービスガイドデリバリーディスクリプタ（ＳＧＤＤ）を受信し、上記受信されたＳＧＤＤから上記シグナリング情報を抽出し、上記抽出されたシグナリング情報を解析し、上記解析されたシグナリング情報に基づいて上記ブロードキャストサービスの受信のためのサービスガイドを受信し、上記受信されたサービスガイドに基づいて上記ブロードキャストサービスを受信する動作を制御する制御器とを有することを特徴とする。
【００１０】
本発明のさらに他の態様によれば、ディジタルブロードキャスティングシステムにおけるブロードキャストサービスを提供する方法が提供される。上記方法は、ネットワークを通して上記ブロードキャストサービスに関連したシグナリング情報を含むサービスガイドデリバリーディスクリプタ（ＳＧＤＤ）を送信するステップと、端末機が上記シグナリング情報に基づいて受信することができる上記ブロードキャストサービスの受信のためのサービスガイドを送信するステップと、上記サービスガイドに関連した上記ブロードキャストサービスを送信するステップとを有することを特徴とする。
【００１１】
本発明のさらなる他の態様によれば、ディジタルブロードキャスティングシステムにおけるブロードキャストサービスを提供するシステムが提供される。上記システムは、ネットワークを通して上記ブロードキャストサービスに関連したシグナリング情報を含むサービスガイドデリバリーディスクリプタ（ＳＧＤＤ）を提供する手段と、端末機が上記シグナリング情報に基づいて受信することができる上記ブロードキャストサービスの受信のためのサービスガイドを提供する手段と、上記サービスガイドに関連した上記ブロードキャストサービスを提供する手段とを有することを特徴とする。
【発明の効果】
【００１２】
本発明の実施形態の上述した及び他の様相、特徴、及び利点は、以下の添付図面が併用された後述の詳細な説明から、より一層明らかになるだろう。
【図面の簡単な説明】
【００１３】
【図１】オープンモバイルアライアンスモバイルブロードキャスト（ＯＭＡ  ＢＣＡＳＴ）サービスガイドの構成を示す図である。
【図２】ＤＶＢ−ＮＧＨでの上位階層シグナリングの構成を示す図である。
【図３】本発明の実施形態で提案されたＳＧＤＤの生成及び送信を行う送信装置の構成を示す図である。
【図４】本発明の実施形態で提案されたＳＧＤＤを受信してする受信装置の構成を示す図である。
【図５】図３の送信装置でのシグナリング情報を生成する過程を示すフローチャートである。
【図６】図４の受信装置でのシグナリング情報を受信する過程を示すフローチャートである。
【発明を実施するための形態】
【００１４】
本発明の様々な実施形態を、添付の図面を参照して詳細に説明する。下記の説明は、特許請求の範囲の記載及びこれと均等なものの範囲内で定められるような本発明の実施形態の包括的な理解を助けるために提供するものであり、この理解を助けるために様々な特定の詳細を含むが、これは一つの実施形態にすぎない。従って、本発明の範囲及び趣旨を逸脱することなく、ここに説明する実施形態の様々な変更及び修正が可能であるということは、当該技術分野における通常の知識を有する者には明らかである。また、下記の説明において、図面における同様な構成要素に対しては、他の図面においても、同様な参照番号及び符号を付けてある。さらに、明瞭性と簡潔性の観点から、当業者に良く知られている機能や構成に関する具体的な説明は、省略する。
【００１５】
以下、本発明の実施形態では、本発明が適用されることができるブロードキャスティング技術のうちでＤＶＢ−ＮＧＨ及びモバイルブロードキャスト標準であるオープンモバイルアライアンスブラウザー及びコンテンツモバイルブロードキャスト（Ｏｐｅｎ  Ｍｏｂｉｌｅ  Ａｌｌｉａｎｃｅ  Ｂｒｏｗｓｅｒ  ａｎｄ  Ｃｏｎｔｅｎｔ  Ｍｏｂｉｌｅ  Ｂｒｏａｄｃａｓｔ：ＯＭＡ  ＢＡＣ  ＢＣＡＳＴ）技術を例を挙げて説明するが、これが本発明の範囲及び趣旨に限定されるものではない。
【００１６】
図１は、本発明が適用されるＯＭＡ  ＢＣＡＳＴワーキンググループ（Ｏｐｅｎ  Ｍｏｂｉｌｅ  Ａｌｌｉａｎｃｅ  Ｍｏｂｉｌｅ  Ｂｒｏａｄｃａｓｔ  Ｓｅｒｖｉｃｅ  Ｗｏｒｋｉｎｇ  Ｇｒｏｕｐ）でのモバイルブロードキャスティングのために提案されたサービスガイドの構成を示す図である。
【００１７】
図１に示すように、１つのサービスガイドは、個々の目的を有する複数のフラグメント（Ｆｒａｇｍｅｎｔ）を含み、それぞれのフラグメントは、その使用用途に従って４個の大きなグループに分割される。
【００１８】
図１を参照すると、サービスガイドは、管理（Ａｄｍｉｎｉｓｔｒａｔｉｖｅ）グループ１００、供給（Ｐｒｏｖｉｓｉｏｎｉｎｇ）グループ１１０、コアー（Ｃｏｒｅ）グループ１２０、及びアクセスグループ１３０を含む。
【００１９】
管理グループ１００は、サービスガイドを受信することができる基本情報を提供する。管理グループ１００は、サービスガイドデリバリーディスクリプタ（Ｓｅｒｖｉｃｅ  Ｇｕｉｄｅ  Ｄｅｌｉｖｅｒｙ  Ｄｅｓｃｒｉｐｔｏｒ：以下、“ＳＧＤＤ”と称する）１０１を含み、複数のサービスガイドフラグメントを受信することができるチャネル、スケジュール情報、及び更新情報を端末機に提供することにより、端末機が必要なサービスガイドだけを適合した時間に受信することができるようにする情報を提供する。
【００２０】
供給グループ１１０は、サービスの受信に対する料金情報を提供し、購買アイテム（Ｐｕｒｃｈａｓｅ  Ｉｔｅｍ）フラグメント１１１、購買データ（Ｐｕｒｃｈａｓｅ  ｄａｔａ）フラグメント１１２、及び購買チャネル（Ｐｕｒｃｈａｓｅ  ｃｈａｎｎｅｌ）フラグメント１１３を含む。購買アイテムフラグメント１１１は、サービス又はサービスバンドルに対する料金情報を提供し、購買データフラグメント１１２は、サービスユーザーがどの方法を通して料金を支払うことができるかを示す情報を提供する。購買チャネルフラグメント１１３は、サービスユーザーが実際にサービスを購入することができるシステムに関する情報を提供する。
【００２１】
コアーグループ１２０は、サービスに関する情報を提供し、サービスフラグメント１２１、スケジュールフラグメント１２２、及びコンテンツフラグメント１２３を含む。サービスフラグメント１２１は、ユーザーが受信するサービスの説明及びユーザーが受信するサービスを構成するコンテンツを示す情報を提供する。スケジュールフラグメント１２２は、サービスが供給されることができる時間に関する情報を提供する。コンテンツフラグメント１２３は、サービスを構成する複数のコンテンツに関する情報を提供する。
【００２２】
アクセスグループ１３０は、アクセスフラグメント１３１及びセッション説明（Ｓｅｓｓｉｏｎ  Ｄｅｓｃｒｉｐｔｉｏｎ）フラグメント１３２を含む。アクセスグループ１３０は、コアーグループ１２０のサービスをどのように受信することができるかを示すサービスアクセス情報及びサービスを構成しているコンテンツが送信されるセッションに関する詳細な情報を提供することにより端末機がそのサービスに対するアクセスが可能であるようにする。アクセスフラグメント１３１は、１つのサービスに対する複数のアクセス方法を端末機に提供することにより、１つのサービスに基づいていくつかの様々な付加サービスにアクセスすることができる方法を提供する。セッション説明フラグメント１３２は、１つのアクセスフラグメントで定義され、サービスアクセスにより送信されたサービスに関するセッション情報を提供する。
【００２３】
図１を参照すると、サービスガイドは、４個のグループに加えてプレビューデータ（Ｐｒｅｖｉｅｗ  ｄａｔａ）フラグメント１２４及びインタラクティブデータ（ｉｎｔｅｒａｃｔｉｖｅ  ｄａｔａ）フラグメント１２５を含む。プレビューデータフラグメント１２４は、サービス及びコンテンツのプレビュー及びアイコンを提供し、インタラクティブデータフラグメント１２５は、ブロードキャストサービスを使用する間にユーザーが参加することができるインタラクティブサービスに関する情報を提供するように機能する。
【００２４】
図２は、本発明が適用するＤＶＢ−ＮＧＨで定義するＮＧＨプロトコルの一例を示す図である。図２を参照してＤＶＢ−ＮＧＨでの上位階層シグナリングの構造について説明する。
【００２５】
図２を参照すると、ＮＧＨ物理階層であるＤＶＢ−ＮＧＨ２０１は、ビットストリームを適切な変調方式を使用して送信する階層である。ＤＶＢ−ＮＧＨ２０１は、階層１（Ｌ１）シグナリング情報２０２を送信する。Ｌ１シグナリング情報は、端末機がＤＶＢ−ＮＧＨネットワークを探すことができる情報のような物理階層（Ｐｈｙｓｉｃａｌ  ｌａｙｅｒ）で必要とする情報を含む。基底帯域フレーム（Ｂａｓｅｂａｎｄ（ＢＢ）Ｆｒａｍｅ）２０３は、物理階層の上位階層で使用される。上位階層から伝達されたデータは、カプセル化（Ｅｎｃａｐｓｕｌａｔｉｏｎ）階層２０４でフレーミングを経た後にＢＢフレーム２０３に形成される。参照符号２０５は、インターネットプロトコル（Ｉｎｔｅｒｎｅｔ  ｐｒｏｔｏｃｏｌ：ＩＰ）階層を示し、図２において、サービスデータ２０９、上位階層情報（Ｕｐｐｅｒ  Ｌａｙｅｒ  ｉｎｆｏｒｍａｔｉｏｎ：以下、“ＵＬＩ”と称する）２０８、ローカルマルチプレックス情報（Ｌｏｃａｌ  Ｍｕｌｔｉｐｌｅｘ  Ｉｎｆｏｒｍａｔｉｏｎ：以下、“ＬＭＩ”と称する）２０７、及び他のマルチプレックス情報（Ｏｔｈｅｒ  Ｍｕｌｔｉｐｌｅｘ  ｉｎｆｏｒｍａｔｉｏｎ：以下、“ＯＭＩ”と称する）２０６のようなシグナリング情報は、ＩＰ階層２０５の上位階層で送信される。
【００２６】
ＯＭＩ２０６、ＬＭＩ２０７、及びＵＬＩ２０８のようなシグナリング情報は、ＩＰ階層２０５の下位階層に存在する情報を受信するために使用される。
【００２７】
ＯＭＩ２０６は、サービスデータ２０９が送信されるＤＶＢ−ＮＧＨシステムのネットワーク識別情報及び周波数情報などを提供するための情報である。ＬＭＩ２０７は、ＮＧＨ論理リンクパイプ（Ｌｏｇｉｃａｌ  Ｌｉｎｋ  Ｐｉｐｅ：以下、“ＬＬＰ”と称する）及びＮＧＨ物理リンクパイプ（Ｐｈｙｓｉｃａｌ  Ｌｉｎｋ  Ｐｉｐｅ：以下、“ＰＬＰ”と称する）へのリンク情報及びＬＬＰのバッファモデル（ｂｕｆｆｅｒ  ｍｏｄｅｌ）情報を提供するための情報である。ＵＬＩ２０８は、ＢＣＡＳＴサービスガイドのようなサービス関連情報及びサービスが転送されるＬＬＰ及びＰＬＰのようなリンク情報を提供するための情報である。
【００２８】
本発明の実施形態において、情報構成の観点でＯＭＩ２０６、ＬＭＩ２０７、及びＵＬＩ２０８のサービス接続情報は、既存のＭＰＥＧ２ブロードキャスティングシステムでＭＰＥＧ２  ＴＳのＰＳＩ／ＳＩを通して転送された情報と類似しているか又は異なり得る。
【００２９】
ＯＭＩ２０６、ＬＭＩ２０７、及びＵＬＩ２０８のシグナリング情報は、サービス接続に関連した情報を含み、ＩＰ階層２０５の上位階層で転送される。このシグナリング情報は、ＩＰ階層２０５の下位階層に存在する情報（例えば、階層２（Ｌ２）シグナリング）を受信するために使用される。本発明の実施形態において、ＩＰ階層２０５の下位階層内の情報は、Ｌ２シグナリング情報であると仮定したが、この情報は、Ｌ２シグナリング情報に限定されるのではない。
【００３０】
したがって、図２のＮＧＨプロトコルに従って、ＩＰ階層２０５の下位階層にある情報を受信するのに必要なシグナリング情報は、ＩＰ階層２０５の上位階層で転送されなければならず、このために具体的な方案が要求される。
【００３１】
このように、本発明は、ＳＧＤＤを用いてＩＰ階層の上位階層でＯＭＩ、ＬＭＩ、及びＵＬＩのうちの少なくとも１つを含むシグナリング情報を送信する方式を提供し、以下では、その具体的な実施形態について説明する。
【００３２】
下記の表において、“Ｔｙｐｅ”の“Ｅ”は、エレメント（ｅｌｅｍｅｎｔ）を意味し、“Ａ”は、属性（Ａｔｔｒｉｂｕｔｅ）を意味する。“Ｅ”の後ろの数字は、階層（ｈｉｅｒａｒｃｈｙ）を意味する。例えば、下記の表において、Ｅ６がエレメントＥ５の下に存在する場合に、Ｅ６は、エレメントＥ５に属する。また、“Ｃａｔｅｇｏｒｙ”は、エレメントがＮ（Ｎｅｔｗｏｒｋ）及びＴ（Ｔｅｒｍｉｎａｌ）でＭ（Ｍａｎｄａｔｏｒｉｌｙ）でサポートされるべきであるか又はＯ（Ｏｐｔｉｏｎａｌｌｙ）でサポートされるべきであるかを意味する。“Ｃａｒｄｉｎａｌｉｔｙ”は、対応するエレメントが幾つ送信されることができるかを意味する。例えば、Ｃａｒｄｉｎａｌｉｔｙ＝“１”は、対応するエレメントが１つ送信されることができることを意味し、Ｃａｒｄｉｎａｌｉｔｙ＝“０．．Ｎ”は、対応するエレメントが０乃至Ｎ個送信されることができることを意味する。
【００３３】
以下の表１乃至表９は、本発明の実施形態において、ＮＧＨ  ＩＰプロフィールでＩＰ階層の下位階層にある情報の受信に必要なＩＰ階層の上位階層にあるシグナリング情報の送信のために提案されたＳＧＤＤの構成例を説明する。以下の表１乃至表９は、説明の便宜のために分けられているが、１つの表から切り離されたものである。
【００３４】
【表１】
2014519732.tif 000003
【００３５】
【表２】
2014519732.tif 000004
【００３６】
【表３】
2014519732.tif 000005
【００３７】
【表４】
2014519732.tif 000006
【００３８】
【表５】
2014519732.tif 000007
【００３９】
【表６】
2014519732.tif 000008
【００４０】
【表７】
2014519732.tif 000009
【００４１】
【表８】
2014519732.tif 000010
【００４２】
【表９】
2014519732.tif 000011
【００４３】
表１乃至表９でのＳＧＤＤの説明において、本発明に関連しない内容は省略され、ＳＧＤＤのエレメント以外の公知のエレメントは、ＯＭＡ  ＢＣＡＳＴサービスガイド１．１．標準で詳細に説明されている。ＳＧＤＤは、イベントに対する通知メッセージの受信のための情報を提供する“通知受信（ＮｏｔｉｆｉｃａｔｉｏｎＲｅｃｅｐｔｉｏｎ）”、現在受信しているサービスプロバイダー及びローミングオペレータに関する情報を提供する“ＢＳＭリスト（ＢＳＭｌｉｓｔ）”、現在のネットワークを通して送信されるすべてのサービスガイドフラグメントに関する情報を有する“説明エントリー（ＤｅｓｃｒｉｐｔｉｏｎＥｎｔｒｙ）”、任意のサービスの受信のために必要な端末機の要求仕様情報を提供する“端末性能（Ｔｅｒｍｉｎａｌｃａｐａｂｉｌｉｔｙ）”、各モバイルブロードキャスト送信システムでサービスガイドの受信のために必要な情報を提供する“サービスガイド進入点（ＳＧＥｎｔｒｙｐｏｉｎｔ）”、ＭＰＥＧレーザのようなリッチメディアサービス（Ｒｉｃｈ  Ｍｅｄｉａ  Ｓｅｒｖｉｃｅ）に関する情報を提供する“ＲＭＳ”、モバイルブロードキャストサービスの使用現況の調査を可能にする“聴取測定（ＡｕｄｉｅｎｃｅＭｅａｓｕｒｅｍｅｎｔ）”、及びＳＧＤＤを伝達するサービスプロバイダーが任意のデータを送信することができるようにする“私設拡張（ＰｒｉｖａｔｅＥｘｔｅｎｓｉｏｎ）”を含む。
【００４４】
ＳＧＤＤを用いてＩＰ階層の下位階層にある情報（例えば、Ｌ２シグナリング）を受信するために使用されるシグナリング情報を送信する本発明の第１の実施形態は、“ＳＧＥｎｔｒｙｐｏｉｎｔ”の下位エレメントである表７の“ＢＤＳ（ＢＣＡＳＴ  Ｓｕｂｓｃｒｉｐｔｉｏｎ  Ｍａｎａｇｅｍｅｎｔ）特定進入点情報（ＢＤＳＳｐｅｃｉｆｉｃＥｎｔｒｙｐｏｉｎｔＩｎｆｏ）”を用いてＵＬＩ、ＬＭＩ、及びＯＭＩを提供する。
【００４５】
“ＢＤＳＳｐｅｃｉｆｉｃＥｎｔｒｙｐｏｉｎｔＩｎｆｏ”は、  ＯＭＡ  ＢＣＡＳＴによりサポートされるＩＰＤＣ（Ｉｎｔｅｒｎｅｔ  Ｐｒｏｔｏｃｏｌ  Ｄａｔａ  Ｃａｓｔｉｎｇ）ｏｖｅｒ  ＤＶＢ−Ｈ、３ＧＰＰ  ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）、３ＧＰＰ２  ＢＣＭＣＳ（Ｂｒｏａｄｃａｓｔ／Ｍｕｌｔｉｃａｓｔ  Ｓｅｒｖｉｃｅ）、ＤＶＢ−ＳＨ、ＷｉＭＡＸ  ＭＣＢＣＳ、及びフォワードリンクオンリ（Ｆｏｒｗａｒｄ  Ｌｉｎｋ  Ｏｎｌｙ：ＦＬＯ）のようなディジタルブロードキャスティングシステムの特性に従って端末機がサービスガイドを円滑に受信することができる情報を提供するためのＳＧＤＤのエレメントである。上述したように、本発明の第１の実施形態は、ＮＧＨの受信のために、表７の“ＢＤＳＳｐｅｃｉｆｉｃＥｎｔｒｙｐｏｉｎｔＩｎｆｏ”を用いてＵＬＩ、ＬＭＩ、及びＯＭＩのシグナリング情報のうちの少なくとも１つを提供する。
【００４６】
表７において、“ＵｐｐｅｒＬａｙｅｒＩｎｆｏｒｍａｔｉｏｎ”エレメントは、ＵＬＩシグナリング情報を提供し、その下位属性として“ＵＬＩバージョン（ＵＬＩ  ｖｅｒｓｉｏｎ）”及び“ＵＬＩ反復期間（ＵＬＩ  ｒｅｐｅｔｉｔｉｏｎ  ｐｅｒｉｏｄ）”を含む。ＳＧＤＤを用いて現在提供されているＵＬＩのバージョンを示す値“ＵＬＩ  ｖｅｒｓｉｏｎ”は、端末機が現在記憶しているＵＬＩのバージョン値より高い（又は新たな）バージョンを有するＵＬＩを発見する時に新たなＵＬＩを受信することができるようにする。“ＵＬＩ  ｒｅｐｅｔｉｔｉｏｎ  ｐｅｒｉｏｄ”は、次のＵＬＩの送信時点を通知することにより端末機がＵＬＩ取得のために不必要にＳＧＤＤを持続的に受信することを防止する。
【００４７】
表７において、“ＬｏｃａｌＭｕｌｔｉｐｌｅｘＩｎｆｏｒｍａｔｉｏｎ”エレメントは、ＬＭＩシグナリング情報を提供し、その下位属性として“ＬＭＩバージョン（ＬＭＩ  ｖｅｒｓｉｏｎ）”及び“ＬＭＩ反復期間（ＬＭＩ  ｒｅｐｅｔｉｔｉｏｎ  ｐｅｒｉｏｄ）”を含む。“ＬＭＩ  ｖｅｒｓｉｏｎ”及び“ＬＭＩ  ｒｅｐｅｔｉｔｉｏｎ  ｐｅｒｉｏｄ”は、“ＵＬＩ  ｖｅｒｓｉｏｎ”及び“ＵＬＩ  ｒｅｐｅｔｉｔｉｏｎ  ｐｅｒｉｏｄ”と同一に動作する。
【００４８】
表７において、“ＯｔｈｅｒＭｕｌｔｉｐｌｅｘＩｎｆｏｒｍａｔｉｏｎ”エレメントは、ＯＭＩシグナリング情報を提供し、その下位属性として“ＯＭＩバージョン（ＯＭＩ  ｖｅｒｓｉｏｎ）”及び“ＯＭＩ反復期間（ＯＭＩ  ｒｅｐｅｔｉｔｉｏｎ  ｐｅｒｉｏｄ）”を含む。“ＯＭＩ  ｖｅｒｓｉｏｎ”及び“ＯＭＩ  ｒｅｐｅｔｉｔｉｏｎ  ｐｅｒｉｏｄ”は、“ＵＬＩ  ｖｅｒｓｉｏｎ”及び“ＵＬＩ  ｒｅｐｅｔｉｔｉｏｎ  ｐｅｒｉｏｄ”と同一に動作する。
【００４９】
ＳＧＤＤを用いてＩＰ階層の下位階層にある情報（例えば、Ｌ２シグナリング）を受信するために使用されるシグナリング情報を送信する本発明の第２の実施形態は、表９に示したＳＧＤＤの“ＰｒｉｖａｔｅＥｘｔ”フィールドを用いてＵＬＩ、ＬＭＩ、及びＯＭＩを提供する。
【００５０】
“ＰｒｉｖａｔｅＥｘｔ”フィールドは、サービスプロバイダーの必要性に応じて付加のデータを提供するフィールドであり、その具体的な内容は、各サービスプロバイダーにより変わり得る。ＮＧＨを用いてモバイルブロードキャストサービスを提供するサービスプロバイダーは、ＳＧＤＤの“ＰｒｉｖａｔｅＥｘｔ”フィールドを用いてＵＬＩ、ＬＭＩ、及びＯＭＩ情報のうちの少なくとも１つを提供することができ、“ＰｒｉｖａｔｅＥｘｔ”フィールドを用いて第１の実施形態で説明された“ＵｐｐｅｒＬａｙｅｒＩｎｆｏｒｍａｔｉｏｎ”エレメント、“ＬｏｃａｌＭｕｌｔｉｐｌｅｘＩｎｆｏｒｍａｔｉｏｎ”エレメント、及び“ＯｔｈｅｒＭｕｌｔｉｐｌｅｘＩｎｆｏｒｍａｔｉｏｎ”エレメントの情報と同一の情報を送信することができる。
【００５１】
表１乃至表９のＳＧＤＤを用いるＵＬＩ、ＬＭＩ、及びＯＭＩの送信は、下記のような２つの長所を有する。
【００５２】
１番目に、ＢＣＡＳＴ  ＳＧは、図１に示すような様々なフラグメントを運搬する。ＢＣＡＳＴ  ＳＧは、このフラグメントの組み合せを通してモバイルブロードキャストサービスのすべてを特定のサービスプロバイダーにより示すこともでき、又は特定のジャンルのモバイルブロードキャストサービスを示すこともできる。ここで、ＳＧＤＤは、フラグメントの組み合せを通したサービスガイドの構成情報を提供する機能をする。端末機がＢＣＡＳＴにより提供されるサービスの受信のためにＳＧＤＤを真っ先に受信しなければならないので、ＳＧＤＤは、反復的に頻繁に送信される。したがって、本発明の実施形態において、ＳＧＤＤは、ＮＧＨ端末機がＵＬＩ、ＬＭＩ、及びＯＭＩを迅速に取得することができるようにする。
【００５３】
２番目に、図２に示すように、ＵＬＩ、ＬＭＩ、及びＯＭＩをＩＰ階層の上位階層で送信するためには、特定のプロトコルが要求される。この場合に、既存のＩＰ系列プロトコルが変更されなければならないか又は新たなプロトコルが作られなければならない。ＢＣＡＳＴ  ＳＧが使用される場合に、端末機が従来のプロトコルを用いてＵＬＩ、ＬＭＩ、及びＯＭＩを受信するので端末機の実現負担が減少する。
【００５４】
図３は、本発明の第１又は第２の実施形態によるシグナリング情報を有するＳＧＤＤを生成し端末機に送信する送信装置を含むシステムの構成を示す図であり、図５は、図３の送信装置でのシグナリング情報を生成する過程を示すフローチャートである。
【００５５】
図３を参照すると、ＮＧＨシグナリング情報生成部３０１は、表７又は表９に示した構成を有するＳＧＤＤでＵＬＩ、ＬＭＩ、及びＯＭＩに必要とされるシグナリング情報を生成する。
【００５６】
図５を参照してシグナリング情報を生成する過程を説明する。ステップ５０１において、送信装置は、新たなＳＧＤＤが必要とされるか否かを判定する。新たなＳＧＤＤが必要とされる場合に、送信装置は、ステップ５０２において、ＳＧＤＤの識別子、バージョン、及び有効性のような基本情報を設定する。ステップ５０３において、送信装置は、シグナリング情報としてＮＧＨシグナリング情報の生成を開始する。ステップ５０４において、送信装置は、ＯＭＩ関連情報（例えば、ネットワーク識別子及びＮＧＨ周波数のような情報）が変更されるか否かを判定する。ＯＭＩ情報が変更される場合に、送信装置は、ステップ５０５で関連情報を変更する。そうでない場合には、送信装置は、ＯＭＩ情報の変更なしにステップ５０６に進む。
【００５７】
送信装置は、ステップ５０６において、ＵＬＩ情報の変更があるか否かを検査する。ＵＬＩ情報が変更される場合に、サービス及びＰＬＰ又はＬＬＰに対応する情報の変更を示す。ＵＬＩ情報が変更される場合に、送信装置は、ステップ５０７において関連情報を変更する。そうでない場合には、送信装置は、ＵＬＩ情報の変更なしにステップ５０８に進む。送信装置は、ステップ５０８において、ＬＭＩ情報が変更されたか否かを判定する。ＬＭＩ情報が変更された場合に、送信装置は、ステップ５０９において、関連情報を変更し、ステップ５１０においてＮＧＨシグナリング情報を完成する。ＬＭＩ情報が変更されない場合には、送信装置は、  ＬＭＩ情報の変更なしにステップ５１０でＮＧＨシグナリング部分の情報を完成する。
【００５８】
図５の説明において、この情報は、ＬＭＩ、ＯＭＩ、及びＵＬＩの順序に変更され得、又は他の順序にも変更され得る。図３におけるＳＧＤＤ生成部／送信部３０２は、表１乃至表９に示した構造を有するＳＧＤＤを生成し、ＳＧＤＤを送信ネットワーク３０３を通してモバイルブロードキャスト端末機３０４に送信する。送信ネットワーク３０３は、ブロードキャストチャネルを提供するブロードキャスティングネットワーク又は双方向チャネルを提供する通信ネットワークであり得る。図３の送信装置は、１つ又は複数のサーバで具現されることができる。したがって、ＮＧＨシグナリング情報生成部３０１及びＳＧＤＤ生成部／送信部３０２は、個別の独立したサーバ又は１つのサーバで具現されることができる。
【００５９】
図４は、本発明の第１又は第２の実施形態によるシグナリング情報を含むＳＧＤＤを受信する受信装置としての端末機の構成を示す図であり、図６は、図４の受信装置でシグナリング情報を受信する過程を示すフローチャートである。
【００６０】
図４を参照すると、送信ネットワーク４０４は、図３の送信ネットワーク３０３と同一である。ＳＧＤＤ受信部４０３は、送信ネットワーク４０４を通して送信されたＳＧＤＤを受信し、受信されたＳＧＤＤをＳＧＤＤ分解部４０２に転送する。ＳＧＤＤ分解部４０２は、受信されたＳＧＤＤからそれぞれのエレメント及び属性を抽出し、この抽出されたエレメント及び属性をＳＧＤＤ分析部４０１に伝達する。ＳＧＤＤ分析部４０１は、ＳＧＤＤ分解部４０２から伝達されたＳＧＤＤ内の情報を分析し、ＳＧＤＤ分解部４０２及びＳＧＤＤ分析部４０１の動作を図６に示す。図４のＳＧＤＤ分析部４０１及びＳＧＤＤ分解部４０２は、端末機内の制御部として具現されることができる。
【００６１】
図６は、本発明で提案した第１の実施形態及び第２の実施形態がともに使用されるという仮定下の端末機の動作を示す図である。第１の実施形態及び第２の実施形態のうちの１つの動作だけが使用可能である場合に、端末機は、ＳＧＤＤの関連フィールドからＮＧＨシグナリング情報を抽出し、サービスの受信を準備することができる。
【００６２】
図６を参照すると、ステップ６０１において、端末機は、新たなＳＧＤＤが受信されたか否かを判定する。新たなＳＧＤＤを受信する時に、端末機は、ステップ６０２において、ＳＧＤＤ内の基本情報を確認することにより適切なＳＧＤＤを受信したか否かを判定する。適切なＳＧＤＤを受信する時に、端末機は、ステップ６０３において、ＳＧＤＤ内の情報が変更されたか否かを確認する。この過程において、ＮＧＨシグナリング情報に関連して、端末機は、本発明の実施形態で提案したＵＬＩ、ＯＭＩ、及びＬＭＩのバージョン情報に基づいて新たな情報が提供されたか否かを確認することができる。
【００６３】
ステップ６０４において、端末機は、ＮＧＨシグナリング情報の位置を確認する。言い換えれば、端末機は、本発明の第１の実施形態で説明したＳＧＤＤの“ＢＤＳＳｐｅｃｉｆｉｃＥｎｔｒｙＰｏｉｎｔＩｎｆｏ”フィールドにＮＧＨシグナリング情報が存在するか否か、又は本発明の第２の実施形態で説明したＳＧＤＤの“ＰｒｉｖａｔｅＥＸＴ”フィールドにＮＧＨシグナリング情報が存在するか否かを確認する。ＮＧＨシグナリング情報が“ＢＤＳＳｐｅｃｉｆｉｃＥｎｔｒｙＰｏｉｎｔＩｎｆｏ”フィールドに存在する場合に、端末機は、ステップ６０５において、ＮＧＨシグナリング情報を取得し、ステップ６０６において、他のＳＧＤＤ情報を確認する。しかしながら、ステップ６０４において、ＮＧＨシグナリング情報が“ＢＤＳＳｐｅｃｉｆｉｃＥｎｔｒｙＰｏｉｎｔＩｎｆｏ”フィールドに存在しない場合に、端末機は、ステップ６１０において、“ＰｒｉｖａｔｅＥｘｔ”フィールドを確認した後に、ステップ６１１においてＮＧＨシグナリング情報を取得し、ステップ６０６において、他のＳＧＤＤ情報を確認する。他のＳＧＤＤ情報の確認及びＮＧＨシグナリング情報の取得の順序は、逆になされることもある。ステップ６０７において、端末機は、確認された情報に基づいてＩＰ階層の下位階層に存在する情報を受信し、サービスガイドを受信し、ＮＧＨにより転送されたモバイルブロードキャストサービスを受信するための準備をする。
【００６４】
表１０乃至表１４は、本発明の実施形態で提案した“ＢＤＳＳｐｅｃｉｆｉｃＥｎｔｒｙＰｏｉｎｔＩｎｆｏ”フィールドの他の構成を示す図である。図３乃至図６の装置及び方法は、表１０乃至表１４の実施形態にも適用されることができる。表１０乃至表１４で使用される公知の用語に対する具体的な定義は、ＯＭＡ  ＢＣＡＳＴサービスガイド１．１標準に詳細に説明されている。
【００６５】
表１０を参照すると、“ＢＤＳＳｐｅｃｉｆｉｃＥｎｔｒｙＰｏｉｎｔＩｎｆｏ”フィールドは、ＵＬＩ、ＬＭＩ、及びＯＭＩを提供するために使用される。
【００６６】
ＵＬＩの他の構成例として、表１０での“ＵｐｐｅｒＬａｙｅｒＩｎｆｏｒｍａｔｉｏｎ”エレメントは、その下位エレメントとして“Ｓｅｒｖｉｃｅ”エレメントを含む。“Ｓｅｒｖｉｃｅ”エレメントは、現在のチャネルを通してサービスに関する情報を提供し、その下位エレメントとして“Ｃｏｍｐｏｎｅｎｔ”エレメントを含む。“Ｃｏｍｐｏｎｅｎｔ”エレメントは、コンポーネントに関する情報を提供し、その下位エレメントとして“ＣｏｍｐｏｎｅｎｔＬｏｃａｔｉｏｎ”エレメントと“ＲＯＨＣＩｎｆｏ”エレメントとを含む。“ＣｏｍｐｏｎｅｎｔＬｏｃａｔｉｏｎ”エレメントは、ＵＲＬ、ＩＰアドレス、及びポート番号のようなコンポーネントの位置情報を提供し、“ＲＯＨＣＩｎｆｏ”エレメントは、圧縮と関連したロバストヘッダーコンプレッション（Ｒｏｂｕｓｔ  Ｈｅａｄｅｒ  Ｃｏｍｐｒｅｓｓｉｏｎ：ＲＯＨＣ）情報を提供する。
【００６７】
ＬＭＩの他の構成例として、表１２での“ＬｏｃａｌＭｕｌｔｉｐｌｅｘＩｎｆｏｒｍａｔｉｏｎ”エレメントは、その下位エレメントとして“ＬＬＰ＿ＩＤ”エレメントを含む。“ＬＬＰ＿ＩＤ”エレメントは、ネットワーク内の論理階層パイプ（Ｌｏｇｉｃａｌ  Ｌａｙｅｒ  Ｐｉｐｅ：ＬＬＰ）を固有に識別するためのエレメントである。“ＬＬＰ＿ＩＤ”エレメントは、その下位エレメントとして“Ｔ＿ＩＮＴ＿ＬＬＰＦ”エレメント、“ＢＳ＿ＬＬＰＦ”エレメント、及び“ＰＬＰ＿ＩＤ”エレメントを含む。“Ｔ＿ＩＮＴ＿ＬＬＰＦ”エレメントは、ＬＬＰの連続的な２つのＬＬＰフレーム間の時間を示す。受信器は、このパラメーターが示す時間の間に前のＬＬＰフレームを処理することができるか否かを確認し、次のＬＬＰフレームの処理のためにそのバッファを空にする。“ＢＳ＿ＬＬＰＦ”エレメントは、最大バッファサイズ、すなわち、ＬＬＰフレームの最大サイズを示し、“ＰＬＰ＿ＩＤ”エレメントは、物理階層パイプ（Ｐｈｙｓｉｃａｌ  Ｌａｙｅｒ  Ｐｉｐｅ：ＰＬＰ）を固有に識別するためのエレメントである。
【００６８】
ＯＭＩの他の構成例として、“ＯｔｈｅｒＭｕｌｔｉｐｌｅｘＩｎｆｏｒｍａｔｉｏｎ”エレメントは、その下位エレメントとして“ｎ＿ｏｆ＿ｍｕｌｔｉｐｌｅｘｅｓ”エレメントを含む。“ｎ＿ｏｆ＿ｍｕｌｔｉｐｌｅｘｅｓ”エレメントは、シグナリングされるマルチプレックス（ｍｕｌｔｉｐｌｅｘｅｓ）の個数を示し、その下位エレメントとして“Ｆｒｅｑｕｅｎｃｙ”エレメント、“Ｇｕａｒｄ＿ＩＮＴＥＲＶＡＬ”エレメント、“ＦＦＴ−ＳＩＺＥ”エレメント、“ＰＩＬＯＴ＿ＰＡＴＴＥＲＮ”エレメント、“ｃｅｌｌ＿ｉｄ”エレメント、“ｆｒａｍｅ＿ｓｙｎｃｈ＿ｏｆｆｓｅｔ”エレメント、及び“Ｃｏｍｐｏｎｅｎｔ＿Ｉｎｆｏ”エレメントを含む。
【００６９】
表１４を参照すると、“Ｆｒｅｑｕｅｎｃｙ”エレメントは、関連したマルチプレックス（ｍｕｌｔｉｐｌｅｘ）が送信される周波数を示し、“Ｇｕａｒｄ＿ＩＮＴＥＲＶＡＬ”エレメントは、現在のスーパーフレーム（ｓｕｐｅｒｆｒａｍｅ）の保護間隔（ｇｕａｒｄ  ｉｎｔｅｒｖａｌ）を示す。“ＦＦＴ−ＳＩＺＥ”エレメントは、ＦＦＴ（Ｆａｓｔ  Ｆｏｕｒｉｅｒ  Ｔｒａｎｓｆｏｒｍ）サイズを示し、“ＰＩＬＯＴ＿ＰＡＴＴＥＲＮ”エレメントは、ＯＦＤＭシンボルに対して使用されたパイロットパターンを示す。“ｃｅｌｌ＿ｉｄ”エレメントは、ネットワーク内のセルを固有に示し、“ｆｒａｍｅ＿ｓｙｎｃｈ＿ｏｆｆｓｅｔ”エレメントは、現在のマルチプレックス内に送信された物理階層フレームと関連する近隣のマルチプレックス（ａｓｓｏｃｉａｔｅｄ  ｎｅｉｇｈｂｏｒｉｎｇ  ｍｕｌｔｉｐｌｅｘ）内に送信された物理階層フレームとの間のオフセットを示し、“Ｃｏｍｐｏｎｅｎｔ＿Ｉｎｆｏ”エレメントは、現在の及び近隣の／隣接するマルチプレックス（ｎｅｉｇｈｂｏｒｉｎｇ／ａｄｊａｃｅｎｔ  ｍｕｌｔｉｐｌｅｘｅｓ）内の複数のサービス／サービスに関する情報を提供する。
【００７０】
【表１０】
2014519732.tif 000012
【００７１】
【表１１】
2014519732.tif 000013
【００７２】
【表１２】
2014519732.tif 000014
【００７３】
【表１３】
2014519732.tif 000015
【００７４】
【表１４】
2014519732.tif 000016
【００７５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７６】
１００  管理グループ
１０１  サービスガイドデリバリーディスクリプタ
１１０  供給グループ
１１１  購買アイテムフラグメント
１１２  購買データフラグメント
１１３  購買チャネルフラグメント
１２０  コアーグループ
１２１  サービスフラグメント
１２２  スケジュールフラグメント
１２３  コンテンツフラグメント
１２４  プレビューデータフラグメント
１２５  インタラクティブデータフラグメント
１３０  アクセスグループ
１３１  アクセスフラグメント
１３２  セッション説明フラグメント
２０１  ＤＶＢ−ＮＧＨ
２０２  シグナリング情報
２０３  基底帯域フレーム
２０３  フレーム
２０４  カプセル化階層
２０５  参照符号
２０６  マルチプレックス情報
２０７  ローカルマルチプレックス情報
２０８  上位階層情報
２０９  サービスデータ
３０１  シグナリング情報生成部
３０２  送信部
３０３  送信ネットワーク
３０４  モバイルブロードキャスト端末機
４０１  分析部
４０２  分解部
４０３  受信部
４０４  送信ネットワーク
【図１】
2014519732.tif 000017
【図２】
2014519732.tif 000018
【図３】
2014519732.tif 000019
【図４】
2014519732.tif 000020
【図５】
2014519732.tif 000021
【図６】
2014519732.tif 000022
【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
ディジタルブロードキャスティングシステムにおけるブロードキャストサービスを受信する方法であって、
ネットワークを通して前記ブロードキャストサービスの受信に関連したシグナリング情報を提供するサービスガイドデリバリーディスクリプタ（ＳＧＤＤ）を受信するステップと、
前記受信されたＳＧＤＤから前記シグナリング情報を抽出し、前記抽出されたシグナリング情報を解析するステップと、
前記解析されたシグナリング情報に基づいて前記ブロードキャストサービスの受信のためのサービスガイドを受信するステップと、
前記受信されたサービスガイドに基づいて前記ブロードキャストサービスを受信するステップと
を有することを特徴とするブロードキャストサービスを受信する方法。
【請求項２】
前記シグナリング情報は、前記ＳＧＤＤの特定のフィールドから抽出されることを特徴とする請求項１に記載の方法。
【請求項３】
前記ＳＧＤＤの特定のフィールドは、前記ＳＧＤＤのエレメントのうちで、前記ディジタルブロードキャスティングシステムの特性と関連した前記サービスガイドの受信のためのＢＤＳ特定進入点情報（ＢＤＳＳｐｅｃｉｆｉｃＥｎｔｒｙｐｏｉｎｔＩｎｆｏ）フィールド及びサービスプロバイダーと関連した付加のデータを提供するための私設拡張（ＰｒｉｖａｔｅＥｘｔ）フィールドのうちの少なくとも１つであることを特徴とする請求項２に記載の方法。
【請求項４】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含むことを特徴とする請求項１に記載の方法。
【請求項５】
前記ＵＬＩは、圧縮関連ロバストヘッダーコンプレッション（ＲＯＨＣ）情報、前記ＬＬＰの識別情報、及び前記ＰＬＰの識別情報のうちの少なくとも１つを含むことを特徴とする請求項４に記載の方法。
【請求項６】
前記シグナリング情報は、インターネットプロトコル（ＩＰ）階層の上位階層情報であり、前記ＩＰ階層の下位階層情報を受信するために使用されることを特徴とする請求項１に記載の方法。
【請求項７】
ディジタルブロードキャスティングシステムにおけるブロードキャストサービスを受信する装置であって、
ネットワークを通して前記ブロードキャストサービスの受信に関連したシグナリング情報及び前記ブロードキャストサービスを受信する受信器と、
前記シグナリング情報を提供するサービスガイドデリバリーディスクリプタ（ＳＧＤＤ）を受信し、前記受信されたＳＧＤＤから前記シグナリング情報を抽出し、前記抽出されたシグナリング情報を解析し、前記解析されたシグナリング情報に基づいて前記ブロードキャストサービスの受信のためのサービスガイドを受信し、前記受信されたサービスガイドに基づいて前記ブロードキャストサービスを受信する動作を制御する制御器と
を有することを特徴とするブロードキャストサービスを受信する装置。
【請求項８】
前記シグナリング情報は、前記ＳＧＤＤの特定のフィールドから抽出されることを特徴とする請求項７に記載の装置。
【請求項９】
前記ＳＧＤＤの特定のフィールドは、前記ＳＧＤＤのエレメントのうちで、前記ディジタルブロードキャスティングシステムの特性と関連した前記サービスガイドの受信のためのＢＤＳ特定進入点情報（ＢＤＳＳｐｅｃｉｆｉｃＥｎｔｒｙｐｏｉｎｔＩｎｆｏ）フィールド及びサービスプロバイダーと関連した付加のデータを提供するための私設拡張（ＰｒｉｖａｔｅＥｘｔ）フィールドのうちの少なくとも１つであることを特徴とする請求項８に記載の装置。
【請求項１０】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含むことを特徴とする請求項７に記載の装置。
【請求項１１】
前記ＵＬＩは、圧縮関連ロバストヘッダーコンプレッション（ＲＯＨＣ）情報、前記ＬＬＰの識別情報、及び前記ＰＬＰの識別情報のうちの少なくとも１つを含むことを特徴とする請求項１０に記載の装置。
【請求項１２】
前記シグナリング情報は、インターネットプロトコル（ＩＰ）階層の上位階層情報であり、前記ＩＰ階層の下位階層情報を受信するために使用されることを特徴とする請求項７に記載の装置。
【請求項１３】
ディジタルブロードキャスティングシステムにおけるブロードキャストサービスを提供する方法であって、
ネットワークを通して前記ブロードキャストサービスに関連したシグナリング情報を含むサービスガイドデリバリーディスクリプタ（ＳＧＤＤ）を送信するステップと、
端末機が前記シグナリング情報に基づいて受信することができる前記ブロードキャストサービスの受信のためのサービスガイドを送信するステップと、
前記サービスガイドに関連した前記ブロードキャストサービスを送信するステップと
を有することを特徴とするブロードキャストサービスを提供する方法。
【請求項１４】
前記シグナリング情報は、前記ＳＧＤＤの特定のフィールドで提供されることを特徴とする請求項１３に記載の方法。
【請求項１５】
前記ＳＧＤＤの特定のフィールドは、前記ＳＧＤＤのエレメントのうちで、前記ディジタルブロードキャスティングシステムの特性と関連した前記サービスガイドの受信のためのＢＤＳ特定進入点情報（ＢＤＳＳｐｅｃｉｆｉｃＥｎｔｒｙｐｏｉｎｔＩｎｆｏ）フィールド及びサービスプロバイダーと関連した付加のデータを提供するための私設拡張（ＰｒｉｖａｔｅＥｘｔ）フィールドのうちの少なくとも１つであることを特徴とする請求項１４に記載の方法。
【請求項１６】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含むことを特徴とする請求項１３に記載の方法。
【請求項１７】
前記ＵＬＩは、圧縮関連ロバストヘッダーコンプレッション（ＲＯＨＣ）情報、前記ＬＬＰの識別情報、及び前記ＰＬＰの識別情報のうちの少なくとも１つを含むことを特徴とする請求項１６に記載の方法。
【請求項１８】
前記シグナリング情報は、インターネットプロトコル（ＩＰ）階層の上位階層情報であり、前記ＩＰ階層の下位階層情報を前記端末機に提供するために使用される情報を含むことを特徴とする請求項１３に記載の方法。
【請求項１９】
ディジタルブロードキャスティングシステムにおけるブロードキャストサービスを提供するシステムであって、
ネットワークを通して前記ブロードキャストサービスに関連したシグナリング情報を含むサービスガイドデリバリーディスクリプタ（ＳＧＤＤ）を提供する手段と、
端末機が前記シグナリング情報に基づいて受信することができる前記ブロードキャストサービスの受信のためのサービスガイドを提供する手段と、
前記サービスガイドに関連した前記ブロードキャストサービスを提供する手段と
を有することを特徴とするブロードキャストサービスを提供するシステム。
【請求項２０】
前記シグナリング情報は、前記ＳＧＤＤの特定のフィールドで提供されることを特徴とする請求項１９に記載のシステム。
【請求項２１】
前記ＳＧＤＤの特定のフィールドは、前記ＳＧＤＤのエレメントのうちで、前記ディジタルブロードキャスティングシステムの特性と関連した前記サービスガイドの受信のためのＢＤＳ特定進入点情報（ＢＤＳＳｐｅｃｉｆｉｃＥｎｔｒｙｐｏｉｎｔＩｎｆｏ）フィールド及びサービスプロバイダーと関連した付加のデータを提供するための私設拡張（ＰｒｉｖａｔｅＥｘｔ）フィールドのうちの少なくとも１つであることを特徴とする請求項２０に記載のシステム。
【請求項２２】
前記シグナリング情報は、前記ディジタルブロードキャスティングシステムのネットワーク識別情報及び周波数情報を含む他のマルチプレックス情報（ＯＭＩ）、論理リンクパイプ（ＬＬＰ）及び物理リンクパイプ（ＰＬＰ）へのリンク情報を含むローカルマルチプレックス情報（ＬＭＩ）、及びサービスガイド関連情報を含む上位階層情報（ＵＬＩ）のうちの少なくとも１つを含むことを特徴とする請求項９に記載のシステム。
【請求項２３】
前記ＵＬＩは、圧縮関連ロバストヘッダーコンプレッション（ＲＯＨＣ）情報、前記ＬＬＰの識別情報、及び前記ＰＬＰの識別情報のうちの少なくとも１つを含むことを特徴とする請求項２２に記載のシステム。
【請求項２４】
前記シグナリング情報は、インターネットプロトコル（ＩＰ）階層の上位階層情報であり、前記ＩＰ階層の下位階層情報を前記端末機に提供するために使用される情報を含むことを特徴とする請求項１９に記載のシステム。
【国際調査報告】
2014519732.tif 000023
2014519732.tif 000024
2014519732.tif 000025
2014519732.tif 000026
2014519732.tif 000027
2014519732.tif 000028
2014519732.tif 000029
2014519732.tif 000030
2014519732.tif 000031
2014519732.tif 000032
2014519732.tif 000033